【手続補正書】
【提出日】平成17年9月9日(2005.9.9)
【手続補正１】
【補正対象書類名】明細書
【補正対象項目名】全文
【補正方法】変更
【補正の内容】
【書類名】      明細書
【発明の名称】  中空部を有する構造体
【特許請求の範囲】
【請求項１】  ブロック状のユニット部材を上下左右に多数連結してなる構造体において、
内部にユニット部材を連結せずに中空部を形成し、
該中空部の上方はユニット部材で覆うように連結してなることを特徴とする中空部を有する構造体。
【請求項２】  ユニット部材を上下方向と横方向に連結して、中空部が一定範囲で上下にユニットを連結せずに中空部となし、該中空部の上方を覆うユニット部材が同一面上に連結されて略横倒コ字状に配置されてなることを特徴とする請求項１に記載の中空部を有する構造体。
【請求項３】  ユニット部材を上下方向と斜め方向と横方向に連結して、中空部が一定範囲で上下にユニットを連結せずに中空部となし、該中空部の上方を覆うユニット部材が斜めに連結されて略半円形状に配置されてなることを特徴とする請求項１に記載の中空部を有する構造体。
【請求項４】  ユニット部材が上面が開口するボックス状の周壁部と、該周壁部の底面から突出する１または複数の筒部を有していることを特徴とする請求項１に記載の中空部を有する構造体。
【発明の詳細な説明】
【０００１】
【発明が属する技術分野】
この発明は、ブロック状のユニット部材を多数連結して形成される構造体であって、内部に通路等の中空部を形成した構成に関する。
【０００２】
【従来の技術】
本発明者は、すでに特公平４−２６６４８号において容器状部材を縦横かつ上下に配設した構造体を用いて雨水等の貯留浸透施設とする構造を提案したが、更に汎用性に優れたユニット部材の開発を行い、本発明を完成するに至った。
【０００３】
【発明が解決しようとする課題】
この発明は、ユニット部材を連結するに際して、従来は上下左右方向に隙間無く連結して直方体や立方体を基調とする構造体において、内部に通路や流路となる中空部を形成した構造体を提供することにある。
【０００４】
【発明を解決するための手段】
この発明は上記課題を解決するため、請求項１の発明では、
ブロック状のユニット部材を上下左右に多数連結してなる構造体において、
内部にユニット部材を連結せずに中空部を形成し、
該中空部の上方はユニット部材で覆うように連結してなる、という技術的手段を講じている。
また、請求項２の発明では、
ユニット部材を上下方向と横方向に連結して、中空部が一定範囲で上下にユニットを連結せずに中空部となし、該中空部の上方を覆うユニット部材が同一面上に連結されて略横倒コ字状に配置されてなる、という技術的手段を講じている。
更に、請求項３の発明では、
ユニット部材を上下方向と斜め方向と横方向に連結して、中空部が一定範囲で上下にユニットを連結せずに中空部となし、該中空部の上方を覆うユニット部材が斜めに連結されて略半円形状に配置されてなる、という技術的手段を講じている。
請求項４の発明では、
ユニット部材が上面が開口するボックス状の周壁部と、該周壁部の底面から突出する１または複数の筒部を有している、という技術的手段を講じている。
【０００５】
【発明の実施の形態】
以下に、この発明の構造体の実施例について図面を参照しつつ説明する。
この構造体は多数の同一形状のユニット部材１の連結により構成されている。
図５に示すユニット部材１は、上面が開口したボックス状の周壁部２と、該周壁部２の底面上に架設された筒体３とからなっている。
即ち、筒体３は１または複数であってもよいが図示例では１つだけ設けた場合を例示している。
この筒体３は周壁部２の底面に開口３ａを有しており、周壁部２と一体に形成されている。
この筒体３の頂部は、開口しあるいは閉塞していてもよいが、図示例では天壁３ｂで塞がった構成からなっている。
更に、筒体３は、多角形や楕円形などの任意の断面形状が採られるが、図示例では断面円形の円筒形状からなっている。
また、この筒部３は上方に向かって漸次小径となるよう周壁が断面テーパ状に形成されており、截頭円錐形状となっている。
【０００６】
上記構成からなっているので、ユニット部材１は上下に積み重ねた際に、上方のユニット部材１の筒部３が下方のユニット部材１の筒部３の内部中空に入り込み積み重ねて収納することができる。
また、ユニット部材１の周壁部２は図示例の場合、平面が矩形となるプレートを示したが、この形状は特に限定されず、円形、楕円形、多角形等任意の形状からなっているものであってもよい。
この周壁部２の平面形状は、同一面上に連続して組み合わせ可能な公知形状に設定すれば組み合わせが容易になり好ましい。
【０００７】
次に、図示例の場合、上記周壁部２には、透孔４が穿設されている。
即ち、周壁部２は、外周に沿って平面形状が正方形の枠状に立ち上がる縁部２１と、周壁部２の底面を縦横に交差して複数に仕切る縦横のリブ（図示せず）を有しており、該リブで仕切られた部分などに透孔４が形成されている。
【０００８】
この透孔４の大きさは用途により適宜大きさを設定することができ、ユニット部材１に収納ないし充填する物質がある場合にはこれらが抜け落ちない大きさに設定されることが望ましい。
また前記ユニット部材１は筒部３に充填物を充填してもよい。
即ち、周壁部２上で開口３ａしている筒部３は内部中空に充填材を収納することができる。
例えば、筒部３に発泡スチロールや発泡スチレンなどの浮力があり比重の軽い物質を充填したり筒体３の開口３ａを蓋材で閉じて密閉することによりユニット部材１の浮力を高めることができる。
【０００９】
あるいは、筒部３にセメントその他の強度の高い物質を充填して耐荷重を高め、あるいは比重を重くして水没可能とする等、任意の物質を用途に応じて一体に充填することができる。
充填する物質は、筒部３内部に充填することにより一体に接着または固着する充填物が好ましいが、一体とならない物質の場合には筒体の下部開口を塞ぐ底蓋を設け底面部に連結すればよく、この発明において充填物の種類は限定されない。
このようにしてユニット部材１を水中に沈めたり、浮かせたりすることができる。
【００１０】
また、筒部３には、ユニット部材１の上面を覆う蓋体（図示せず）を設けてもよい。
この蓋体は、構造体の上面を構成するもので、構造体を地中に埋設する場合には、前記蓋体の上に客土を盛り、植物等を植えるようにしてもよい。
【００１１】
次に、このユニット部材１には上下方向または横（縦横）方向に連結する連結手段が設けられている。
本実施例ではユニット部材１とは別体の継手と組み合わせて連結する構成からなっている。
即ち、図５〜６に示すように、ユニット部材１にはその周壁部２の外周に沿う上方の鍔部の四隅に外側連結孔１３が穿設されている。
同様に周壁部２の底面の四隅にも同様に内側連結孔１３’が穿設されている。
【００１２】
そして、図７に示すように、継手１０は、縦横に隣接するユニット部材１において４つのユニット部材１の周壁部２の外側連結孔１３が集合して４つの外側連結孔１３が集まった箇所で上下８つのユニット部材の連結に用いられる。
この継手１０の基本形は、べース上に上記外側連結孔１３に嵌合係止する係止軸部１１が上下一対に且つ４カ所に対応して上下に各４つ合計８つ架設されている。
なお、構造体の外周壁を構成するユニット部材の連結に用いる場合等、同一平面上に２つ並ぶユニット部材１を上下で連結する場合には、継手１０’は、べース上に上記外側連結孔１３に嵌合係止する係止軸部１１が上下一対に且つ２カ所に対応して上下に各２つ合計４つ架設されている。
同様に、構造体の隅部を構成するユニット部材の連結に用いる場合等、ユニット部材１を上下のみで連結する場合には、継手１０” は、べース上に上記外側連結孔１３に嵌合係止する係止軸部１１が上下一対に合計２つ架設されている。
更に、構造体の最上段あるいは最下段のユニットの連結に用いる場合等、ユニット部材１を横方向のみで連結する場合には、前記継手１０、１０’、１０”はべ一ス上の一方の面のみに前記外側連結孔１３に嵌合係止する係止軸部１１がそれぞれ架設されているものを用いる。
【００１３】
同様に、図８に示すように、継手１５は、縦横に隣接するユニット部材１において４つのユニット部材１の周壁部２の内側連結孔１３’が集合して４つの内側連結孔１３’が集まった箇所で上下８つのユニット部材の連結に用いられる。
この継手１５の基本形は、べース上に上記内側連結孔１３’に嵌合係止する係止軸部１１が上下一対に且つ４カ所に対応して上下に各４つ合計８つ架設されている。
なお、構造体の外周壁を構成するユニット部材の連結に用いる場合等、同一平面上に２つ並ぶユニット部材１を上下で連結する場合には、継手１５’は、べース上に上記内側連結孔１３’に嵌合係止する係止軸部１１が上下一対に且つ２カ所に対応して上下に各２つ合計４つ突設されている。
構造体の隅部を構成するユニット部材の連結に用いる場合等、ユニット部材１を上下のみで連結する場合には、継手１５”は、べース上に上記内側連結孔１３’ に嵌合係止する係止軸部１１が上下一対に合計２つ突設されている。
更に、構造体の最上段あるいは最下段のユニットの連結に用いる場合等、ユニット部材１を横方向のみで連結する場合には、前記継手１５、１５’、１５”はべース上の一方の面のみに前記内側連結孔１３’に嵌合係止する係止軸部１１がそれぞれ架設されているものを用いる。
【００１４】
これらの継手１０、１０’、１０”と１５、１５’、１５”を用いてユニット部材１を上下に重ねる場合には、周壁部２、２の底面と底面、上部の鍔部と鍔部相互が重なるように上下を逆にして配置し、上下のユニット部材の各周壁部の底面と底面、上部の鍔部と鍔部の四隅で整合するそれぞれの連結孔１３、１３’に上記係止軸部１１を係上すればよい。
上記実施例では、係止軸部を設けたが、ボルト締め等の固定手段を設けて隣接するユニット部材１を一体に固定してもよい。
【００１５】
次に、連結筒１８は、ユニット部材１を上下に交互に倒立させて連結する場合に、上下の筒部３を連結するのに用いることができる。
この連結筒１８は、中央を大径とし上下に沿って漸次小径となる筒状からなっており、外周壁が筒部３の基部の底部開口に隙間無く嵌合可能な形状に形成されており、中空の内周壁が筒部３の先端を略隙間無く嵌合可能な形状に形成されている。
従って、この連結筒１８を用いることにより、上下に連結されるユニット部材が周壁部の底面同士を接触させる向きでも、上部鍔部同士を接触させる向きであっても、いずれの対向する筒部３も上下に連結することができる。また、上記実施例では、中空部Ｈを補強するために中空部に接する上下の筒部３にはコンクリートなどの充填材を充填して構造体を補強する縦柱３０を形成している（図３参照）。
この際に筒部３は上下を開口する貫通孔としておけば、上下に連通する縦孔を形成し、１本の縦柱３０を形成することができる。同様に横方向に延びる筒部を設けておけば、横方向に連通する横孔を形成し、１本の横柱４０を形成することもできる。
【００１６】
上記各実施例では、筒部相互、あるいは周壁部相互を別体の継手または連結筒を用いて連結する構成を例示したが、この発明では、筒部、あるいは周壁部にそれぞれ連結手段を一体に設けていてもよい。
例えば周壁部の一方の隣接する二辺には連結突部を設け、他の隣接する二辺には連結受部を設けユニット部材１を９０度角度を代えて順次連結することができるなどの公知構成を用いることができる。
その他、ユニット部材１の連結構成は前記実施例に限定されず、種々の公知の構成を用いることができる。
【００１７】
次にユニット部材１の使用の一例を次に説明する。
多数のユニット部材１を同一面状に並べて連結して、地面に埋設し、各ユニット部材１内には芝生その他の植物を植えることにより、駐車場等の路正面保護装置として使用することもできる。
その際に周壁部２内は芝生などの植物やその種子を整理して植えるのに適する。
また筒部３は、スポット的に路面の強度を補強することができる。
この際にも自動車の車輪があたる筒体３にコンクリート等を充填することにより耐荷重性能の一層の向上を図ることができる。
【００１８】
このユニット部材１を上下および縦横に多数組み合わせて連結し、例えば特公平４−２６６４８号に示したような地面を掘り下げたタンク部内に載置し、最上部に被覆手段を施すことにより、雨水等の貯留浸透施設に用いることができる。
そして、筒体３にコンクリートを充填する等によりユニット部材１の強度を高めておけば、耐荷重性が向上するので、その上をグランドとして使用するばかりでなく、建造物を建設することもできる。
また、通水性を有する袋等に上下および縦横に連結したユニット部材１を収納して地下に埋設し、雨水の入り口を上部に設けておけば、小型の貯水槽として利用することができる。
【００１９】
また、同様に多数のユニット部材１を縦横に連結して水中に浮かせてもよい。
この際には、筒体３内に合成樹脂発泡体を充填して浮力を高めておくことが好ましい。
そして、各ユニット部材１内には透水性ネット（図示せず）を敷設して内部に収納した土が抜け落ちないようにして土と植物を入れたり、鉢植の植物をそのままユニット部材に収納する等して湖や池等に浮かべることにより、植物を生育させることができる。
また、筒体３にコンクリートその他の比重の重い重点物を充填し、また多数の連結されたユニット部材１を一体に固着し、または袋や枠に収納してユニット部材１が分離しないようにして、魚礁や海岸線の砂の保護や消波ブロックとして使用することもできる。
【００２０】
更に、本実施例では、ユニット部材の筒部を積み重ね可能なようにテーパ面とした場合を例示したが、先端に向かって大径になる逆テーパ状あるいは段違いに拡開する形状、あるいは同一断面形状等、適宜形状であってもよい。
また、ユニット部材の使用に際しては正逆いずれの向きに用いてもよい。
例えば、接地面が、コンクリートや砕石の上である場合には突起部を上下逆にし周壁部が上にくるように配置して利用に供してもよい（図８）。
上記実施例では、突起部を筒状としてスタッキング可能とした場合を例示したが、柱状であってもよい。
例えば断面十字状の柱体や、柱体に突軸を架設したもの等その断面形状は特に限定されるものではない。
【００２１】
このようなユニット部材１は、図１から図３に示すように、内部に中空部を形成することができる。
図１の実施例では、構造物の中央に中空の通路を形成している。
即ち、構造体の内部にユニット部材１を連結せずに中空部Ｈを形成しており、該中空部Ｈの上方はユニット部材１で覆うように連結している。
図示例の場合、ユニット部材１は、上下方向と横方向に連結しており、中空部Ｈの上方を覆うユニット部材１が同一面上に連結されて略横倒コ字状に配置されている。
この際に、前記と同様に、中空部分に対応する係止軸部１１を省略した継手１９が用いられる。
【００２２】
図２の実施例では、ユニット部材１を上下方向と斜め方向と横方向に連結して、中空部Ｈの上方を覆うユニット部材１が斜めに連結されて略半円形状でアーチのように配置されている。
この場合も前記と同様に横と上下に連結し、中空部には対応する係止軸部１１を省略した継手１９を用いて連結することができる。
同様に、図３の実施例では、前記図１と図２の実施例を組み合わせて、ユニット部材１を上下方向と斜め方向と横方向に連結して、中空部Ｈの上方を覆うユニット部材１が斜めと横とに連結されて略梯形状のアーチのように配置されている。
この場合も前記と同様に形成される。
このようにして奥行き方向も同様に連結することにより中空部に幅を持たせて構造体内に通路を形成することができる。
この通路は直線状に限らず、構造体内で屈曲するものであってもよい。
上記各実施例では、ユニット部材を篭状としたが、この発明では、要するに多数の部材を上下左右に連結して構造体を形成するものであればよく、本実施例に限定されない。
また継手も図示例に限定されず、公知の種々の連結手段を用いることができること勿論である。
【００２３】
【発明の効果】
この発明は、ユニット部材を多数連結して組み立てられる構造体内に中空部を形成することができるので、メンテナンスその他の用途の通路として利用したり、流路として使用する等、構造体の汎用性を高めることができる。
【図面の簡単な説明】
【図１】構造体の中空部の第１実施例を示す断面図。
【図２】中空部の第２実施例を示す断面図。
【図３】中空部の第３実施例を示す断面図。
【図４】ユニット部材の連結構造を示す分解断面図。
【図５】ユニット部材の一例を示す正面図。
【図６】ユニット部材を並べた状態の平面図。
【図７】継手による外側連結孔の連結状態を示す平面図。
【図８】継手による内側連結孔の連結状態を示す平面図。
【符号の説明】
１・・・ユニット部材
２・・・周壁部
３・・・筒部
１０、１０’、１０’’・・継手
１３・・外側連結孔
１３’・内側連結孔
１５、１５’、１５’’・・継手
１８・・・連結筒
Ｈ・・・中空部